(57)【特許請求の範囲】
【請求項１】
表面に釉薬層が形成されている洗面器本体と、前記洗面器本体のボール面に着水するように配置された水栓器具と、前記洗面器本体のボール面に配設された排水口とを備えた洗面設備であって、少なくともボール面の前記釉薬層表面の表面粗さＲａは触針式表面粗さ測定装置（ＪＩＳ−Ｂ０６５１）により、０．０７μｍ未満であり、前記排水口の位置は、前記着水位置と一致しないことを特徴とする洗面設備。
【請求項２】
表面に釉薬層が形成されている洗面器本体と、前記洗面器本体のボール面に着水するように配置された水栓器具と、前記洗面器本体のボール面に配設された排水口とを備えた洗面設備であって、少なくともボール面の前記釉薬層表面の表面粗さＲａは触針式表面粗さ測定装置（ＪＩＳ−Ｂ０６５１）により、０．０５μｍ以下であり、前記排水口の位置は、前記着水位置と一致しないことを特徴とする洗面設備。
【請求項３】
少なくともボール面の前記釉薬層表面が、実質的にガラス成分からなることを特徴とする請求項１または２に記載の洗面設備。
【請求項４】
少なくともボール面の前記釉薬層は、着色性の下地釉薬層と透明性の表面釉薬層からなることを特徴とする請求項１〜３のいずれか１つに記載の洗面設備。
【請求項５】
少なくともボール面の前記透明性の表面釉薬層の厚みは、０．１ｍｍ以上であることを特徴とする請求項４に記載の洗面設備。
【請求項６】
前記着水位置と前記排水口位置とは、使用者に対して垂直方向の洗面ボール中心線を基準に、逆の位置にあることを特徴とする請求項１〜５のいずれか１つに記載の洗面設備。
【請求項７】
前記着水位置と前記排水口位置とは、使用者に対して垂直方向の洗面ボール中心線を基準に、いずれか一方が左右いずれかの片側寄りに位置し、かつ他方が中心線付近に位置することを特徴とする請求項１〜５のいずれか１つに記載の洗面設備。
【請求項８】
前記着水位置及び前記排水口位置は、使用者に対して垂直方向の洗面ボール中心線付近に位置することを特徴とする請求項１〜５のいずれか１つに記載の洗面設備。
【請求項９】
前記着水位置と前記排水口位置とは、使用者に対して水平方向の洗面ボール中心線を基準に、逆の位置にあることを特徴とする請求項１〜８のいずれか１つに記載の洗面設備。
【請求項１０】
前記着水位置と前記排水口位置とは、使用者に対して水平方向の洗面ボール中心線を基準に、いずれか一方が前後いずれかの片側寄りに位置し、かつ他方が中心線付近に位置することを特徴とする請求項１〜８のいずれか１つに記載の洗面設備。
【請求項１１】
前記着水位置及び前記排水口位置は、使用者に対して水平方向の洗面ボール中心線付近に位置することを特徴とする請求項１〜７のいずれか１つに記載の洗面設備。
【請求項１２】
前記着水位置と前記排水口位置とを結ぶ線は、前記着水位置から前記排水口位置に向けて連続的に０または負の勾配を有することを特徴とする請求項１〜１１のいずれか１つに記載の洗面設備。
【請求項１３】
前記排水口の位置は、前記水栓金具の直下からずれていることを特徴とする請求項１〜１２のいずれか１つに記載の洗面設備。
【請求項１４】
前記水栓金具と前記排水口位置とは、使用者に対して垂直方向の洗面ボール中心線を基準に、逆の位置にあることを特徴とする請求項１３に記載の洗面設備。
【請求項１５】
前記水栓金具と前記排水口位置とは、使用者に対して垂直方向の洗面ボール中心線を基準に、いずれか一方が左右いずれかの片側寄りに位置し、かつ他方が中心線付近に位置することを特徴とする請求項１３に記載の洗面設備。
【請求項１６】
前記水栓金具及び前記排水口位置は、使用者に対して垂直方向の洗面ボール中心線付近に位置することを特徴とする請求項１３に記載の洗面設備。
【請求項１７】
前記水栓金具と前記排水口位置とは、使用者に対して水平方向の洗面ボール中心線を基準に、逆の位置にあることを特徴とする請求項１３〜１６のいずれか１つに記載の洗面設備。
【請求項１８】
前記水栓金具と前記排水口位置とは、使用者に対して水平方向の洗面ボール中心線を基準に、いずれか一方が前後いずれかの片側寄りに位置し、かつ他方が中心線付近に位置することを特徴とする請求項１３〜１６のいずれか１つに記載の洗面設備。
【請求項１９】
前記水栓金具及び前記排水口位置は、使用者に対して水平方向の洗面ボール中心線付近に位置することを特徴とする請求項１３〜１５のいずれか１つに記載の洗面設備。
【請求項２０】
前記水栓金具直下のボール面位置と前記排水口位置とを結ぶ線は、前記ボール面位置から前記排水口位置に向けて連続的に０または負の勾配を有することを特徴とする請求項１３〜１９のいずれか１つに記載の洗面設備。
【請求項２１】
基台上に請求項１〜２０のいずれか１つに記載の洗面設備を備えていることを特徴とする洗面化粧台。
【発明の詳細な説明】
【０００１】
【発明の属する技術分野】
本発明は長期に亘って汚れを容易に除去できる機能を維持する洗面設備及び洗面化粧台に関する。
【０００２】
【従来の技術】
洗面器は、石鹸かす、手垢、水垢、化粧品汚れ、泥汚れ等種々の汚れが付着しやすい環境で使用される。
そこで、従来より、汚れの付着しにくい陶磁器や琺瑯等の施釉製品により製造されてきた。
【０００３】
【発明が解決しようとする課題】
しかしながら、それでも汚れは徐々に付着するために清掃作業を必要とした。その一般的方法は、界面活性剤、酸、アルカリ等の洗剤をスポンジやたわしに含ませて強くこすり、洗剤による化学的な汚れ除去と、スポンジやたわしでこすることによる物理的除去を併用する方法であるが、上記方法では、汚れを落とすのに手間がかかり、また、一度汚れを落としても、比較的すぐに汚れが付着し、清掃を頻繁に行わなければならないという問題があった。
そこで、本発明では、汚れを落としやすく、付着させにくい洗面設備及び洗面化粧台を提供することを目的とする。
【０００４】
【課題を解決するための手段】
本発明では上記課題を解決すべく、表面に釉薬層が形成されている洗面器本体と、前記洗面器本体のボール面に着水するように配置された水栓器具と、前記洗面器本体のボール面に配設された排水口とを備えた洗面設備であって、少なくともボール面の前記釉薬層表面の表面粗さＲａは触針式表面粗さ測定装置（ＪＩＳ−Ｂ０６５１）により、０．０７μｍ未満、より好ましくは０．０５μｍ以下であることを特徴とする洗面設備を提供する。釉薬層表面の表面粗さＲａを０．０７μｍ未満、より好ましくは０．０５μｍ以下にすることにより、釉薬層表面に汚れが固着しにくくなる。従って、清掃頻度が低減され、清掃も容易になる。
また、排水口の位置は、着水位置と一致しないようにする。こうすることで、洗面設備を利用する度に、洗面器ボール面に水が流れるようになるので、その分、清掃頻度がより低減され、清掃もより容易になる。排水口の位置と、着水位置とを一致させない方法としては、以下に掲げる方法が考えられる。  
（１）着水位置と排水口位置とを、使用者に対して垂直方向の洗面ボール中心線を基準に、逆の位置にあるようにする。この場合、使用者に対して水平方向には任意の位置にすることが可能である。  
（２）着水位置と排水口位置とを、使用者に対して垂直方向の洗面ボール中心線を基準に、いずれか一方が左右いずれかの片側寄りに位置し、かつ他方が中心線付近に位置するようにする。この場合、使用者に対して水平方向には任意の位置にすることが可能である。（３）着水位置及び排水口位置を、使用者に対して垂直方向の洗面ボール中心線付近に位置する。この場合は、使用者に対して水平方向には、使用者に対して水平方向の洗面ボール中心線を基準に、逆の位置にあるようにするか、若しくはいずれか一方が前後いずれかの片側寄りに位置し、かつ他方が中心線付近に位置するようにする。  
（４）着水位置と排水口位置とは、使用者に対して水平方向の洗面ボール中心線を基準に、逆の位置にあるようにする。この場合は、使用者に対して垂直方向には、任意の位置にすることが可能である。  
（５）着水位置と排水口位置とは、使用者に対して水平方向の洗面ボール中心線を基準に、いずれか一方が前後いずれかの片側寄りに位置し、かつ他方が中心線付近に位置するようにする。この場合は、使用者に対して垂直方向には、任意の位置にすることが可能である。  
（６）着水位置及び排水口位置を、使用者に対して水平方向の洗面ボール中心線付近に位置する。この場合は、使用者に対して垂直方向には、使用者に対して水平方向の洗面ボール中心線を基準に、逆の位置にあるようにするか、若しくはいずれか一方が左右いずれかの片側寄りに位置し、かつ他方が中心線付近に位置するようにする。（１）〜（６）のいずれの位置関係でもよいが、着水位置と排水口位置との距離は長いほうが望ましい。そうすることで、洗面設備を利用する際に、洗面器ボール面の流水が行き渡る面積が増大するので、その分、清掃頻度がより低減され、清掃もより容易になるからである。  
【０００５】
本発明の好ましい態様においては、少なくともボール面の釉薬層表面が、実質的にガラス成分からなるようにする。
従来の洗面器では、釉薬層表面に、石英粒子が完全にガラス化されずに残存し凹部を形成し、また、ジルコン粒子および顔料粒子が表面に露出して凸部を形成していた。
そのために、表面粗さ（Ｒａ）が触針式表面粗さ測定装置（ＪＩＳ−Ｂ０６５１）により０．０７μｍ以上になるとともに、汚れの再吸着を有効に防止する１価金属成分が、上記粒子の露出部分では有効に作用せず、その部分に汚れがより固着しやすいという問題があった。
本発明の好ましい態様においては、釉薬層表面が実質的にガラス成分からなるようにしたので、Ｒａを０．０７μｍ未満にしやすくなるとともに、汚れの再吸着を有効に防止する１価金属成分が表面に均一に露出し、汚れの固着をより良好に防止するようになる。従って、清掃頻度がより低減され、清掃もより容易になる。
【０００６】
本発明の好ましい態様においては、少なくともボール面の釉薬層は着色性の下地釉薬層と透明性の表面釉薬層からなるようにする。
こうすることで、乳濁剤、顔料等の粒子状物質を露出させないようにすることが可能となり、Ｒａを０．０７μｍ未満にしやすくなるとともに、汚れの再吸着を有効に防止する１価金属成分が表面に均一に露出し、汚れの固着をより良好に防止するようになる。従って、清掃頻度がより低減され、清掃もより容易になる。
【０００７】
本発明の好ましい態様においては、少なくともボール面の透明性の表面釉薬層の厚みは、０．１ｍｍ以上、好ましくは０．２ｍｍ以上であるようにする。
こうすることで、下地釉薬層の影響を受け難くなり、乳濁剤、顔料等の粒子状物質を露出させないようにすることが可能となり、Ｒａを０．０７μｍ未満にしやすくなるとともに、汚れの再吸着を有効に防止する１価金属成分が表面に均一に露出し、汚れの固着をより良好に防止するようになる。従って、清掃頻度がより低減され、清掃もより容易になる。
【０００９】
本発明の好ましい態様においては、着水位置と排水口位置とを結ぶ線は、前記着水位置から前記排水口位置に向けて連続的に０または負の勾配を有するようにする。
そうすることで、洗面設備を利用する度に、洗面器ボール面に水が流れるようになるとともに、重力の作用により、汚れがより落ちやすくなり、その分、清掃頻度がより低減され、清掃もより容易になる。
【００１０】
本発明の好ましい態様においては、排水口の位置は、前記水栓金具の直下からずれているようにする。
そうすることにより、水栓金具の直下に吐水される頻度が高いことから、洗面設備を利用する度に、洗面器ボール面に水が流れるようになるので、その分、清掃頻度がより低減され、清掃もより容易になる。
排水口の位置と、水栓金具の位置とを一致させない方法としては、以下に掲げる方法が考えられる。
（１）水栓金具の位置と排水口位置とを、使用者に対して垂直方向の洗面ボール中心線を基準に、逆の位置にあるようにする。この場合、使用者に対して水平方向には任意の位置にすることが可能である。
（２）水栓金具の位置と排水口位置とを、使用者に対して垂直方向の洗面ボール中心線を基準に、いずれか一方が左右いずれかの片側寄りに位置し、かつ他方が中心線付近に位置するようにする。この場合、使用者に対して水平方向には任意の位置にすることが可能である。
（３）水栓金具の位置及び排水口位置を、使用者に対して垂直方向の洗面ボール中心線付近に位置する。この場合は、使用者に対して水平方向には、使用者に対して水平方向の洗面ボール中心線を基準に、逆の位置にあるようにするか、若しくはいずれか一方が前後いずれかの片側寄りに位置し、かつ他方が中心線付近に位置するようにする。
（４）水栓金具の位置と排水口位置とは、使用者に対して水平方向の洗面ボール中心線を基準に、逆の位置にあるようにする。この場合は、使用者に対して垂直方向には、任意の位置にすることが可能である。
（５）水栓金具の位置と排水口位置とは、使用者に対して水平方向の洗面ボール中心線を基準に、いずれか一方が前後いずれかの片側寄りに位置し、かつ他方が中心線付近に位置するようにする。この場合は、使用者に対して垂直方向には、任意の位置にすることが可能である。
（６）水栓金具の位置及び排水口位置を、使用者に対して水平方向の洗面ボール中心線付近に位置する。この場合は、使用者に対して垂直方向には、使用者に対して水平方向の洗面ボール中心線を基準に、逆の位置にあるようにするか、若しくはいずれか一方が左右いずれかの片側寄りに位置し、かつ他方が中心線付近に位置するようにする。
（１）〜（６）のいずれの位置関係でもよいが、水栓金具の位置と排水口位置との距離は長いほうが望ましい。そうすることで、洗面設備を利用する際に、洗面器ボール面の流水が行き渡る面積が増大するので、その分、清掃頻度がより低減され、清掃もより容易になるからである。
【００１１】
本発明の好ましい態様においては、水栓金具の位置と排水口位置とを結ぶ線は、前記水栓金具の位置から前記排水口位置に向けて連続的に０または負の勾配を有するようにする。
そうすることで、洗面設備を利用する度に、洗面器ボール面に水が流れるようになるとともに、重力の作用により、汚れがより落ちやすくなり、その分、清掃頻度がより低減され、清掃もより容易になる。
【００１２】
【発明の実施の形態】
本発明の洗面設備は、基本的に、表面に釉薬層が形成されている洗面器本体と、前記洗面器本体のボール面に着水するように配置された水栓器具と、前記洗面器本体のボール面に配設された排水口とを備えている。シャワー、収納設備、鏡等のその他の設備を備えていてもよいのは言うまでもない。
【００１３】
そして、少なくともボール面の釉薬層表面の表面粗さＲａは触針式表面粗さ測定装置（ＪＩＳ−Ｂ０６５１）により、０．０７μｍ未満、より好ましくは０．０５μｍ以下になっている。
釉薬層が形成されている基材は、陶磁器素地、金属基材、セラミック基材等が利用可能である。
Ｒａが０．０７μｍ未満、より好ましくは０．０５μｍ以下の釉薬層表面は、例えば、以下に掲げる方法で作製可能である。
（１）上記基材表面に、レーザー回折法による粒度測定で５０％粒径が５μｍ以下の微粒釉薬原料を適用し、焼成する。
（２）上記基材表面に、非晶質釉薬を５０％以上含有する釉薬原料を適用し、焼成する。
（３）上記基材表面に、着色性釉薬原料を適用後、レーザー回折法による粒度測定で５０％粒径が５μｍ以下の微粒の透明性釉薬原料を適用し、焼成する。
（４）上記基材表面に、着色性釉薬原料を適用後、非晶質釉薬を５０％以上含有する透明性釉薬原料を適用し、焼成する。
【００１４】
次に、本発明の好ましい実施態様について、図１〜４に基づいて説明する。
図１は、本発明の一実施態様を示す上面図であり、表面に釉薬層が形成されている洗面器本体１と、前記洗面器本体１のボール面４に着水するように配置された水栓器具２と、前記洗面器本体のボール面に配設された排水口３とを備えている。
ボール面４の釉薬層表面の表面粗さＲａは触針式表面粗さ測定装置（ＪＩＳ−Ｂ０６５１）により、０．０７μｍ未満、より好ましくは０．０５μｍ以下になっている。
水栓器具２と、排水口３とは使用者に対して垂直方向の洗面ボール中心線を基準に、逆に位置する。
このようにすることで、洗面ボール内着水位置から吐水口に至るまでに、流水が洗面ボール内に行き渡り、洗面ボール底面に塗布した疑似汚物が流水のみで落ちるようになる。
【００１５】
図２は、本発明の他の実施態様を示す上面図であり、表面に釉薬層が形成されている洗面器本体１と、前記洗面器本体１のボール面４に着水するように配置された水栓器具２と、前記洗面器本体のボール面に配設された排水口３とを備えている。
ボール面４の釉薬層表面の表面粗さＲａは触針式表面粗さ測定装置（ＪＩＳ−Ｂ０６５１）により、０．０７μｍ未満、より好ましくは０．０５μｍ以下になっている。
使用者に対して垂直方向の洗面ボール中心線を基準に、水栓金具２と排水口３が中心線付近に配置され、かつ使用者に対して水平方向の洗面ボール中心線を基準に、洗面ボール面着水位置と排水口が逆に位置する。
こうすることで、洗面ボール内着水位置から吐水口に至るまでに流水が洗面ボール内に広がり、洗面ボール底面に塗布した疑似汚物が流水のみで落ちるようになる。
【００１６】
図３は、本発明の他の実施態様を示す上面図であり、表面に釉薬層が形成されている洗面器本体１と、前記洗面器本体１のボール面４に着水するように配置された水栓器具２と、前記洗面器本体のボール面に配設された排水口３とを備えている。
ボール面４の釉薬層表面の表面粗さＲａは触針式表面粗さ測定装置（ＪＩＳ−Ｂ０６５１）により、０．０７μｍ未満、より好ましくは０．０５μｍ以下になっている。
使用者に対して垂直方向の洗面ボール中心線を基準に、水栓金具２が中心線付近にあり、排水口３が中心線からはずれた位置にある。
このようにすることで、洗面ボール内着水位置から吐水口に至るまでに、流水が洗面ボール内に行き渡り、洗面ボール底面に塗布した疑似汚物が流水のみで落ちるようになる。
【００１７】
図４は、本発明の他の実施態様を示す上面図であり、表面に釉薬層が形成されている洗面器本体１と、前記洗面器本体１のボール面４に着水するように配置された水栓器具２と、前記洗面器本体のボール面に配設された排水口３とを備えている。
ボール面４の釉薬層表面の表面粗さＲａは触針式表面粗さ測定装置（ＪＩＳ−Ｂ０６５１）により、０．０７μｍ未満、より好ましくは０．０５μｍ以下になっている。
使用者に対して垂直方向の洗面ボール中心線を基準に、水栓金具２が中心線からはずれた位置にあり、排水口３が中心線付近にある。
このようにすることで、洗面ボール内着水位置から吐水口に至るまでに、流水が洗面ボール内に行き渡り、洗面ボール底面に塗布した疑似汚物が流水のみで落ちるようになる。
【００１８】
図５は、本発明の他の実施態様を示す右断面摸式図であり、表面に釉薬層が形成されている洗面器本体１と、前記洗面器本体１のボール面４に着水するように配置された水栓器具２と、前記洗面器本体のボール面に配設された排水口３とを備えている。
ボール面４の釉薬層表面の表面粗さＲａは触針式表面粗さ測定装置（ＪＩＳ−Ｂ０６５１）により、０．０７μｍ未満、より好ましくは０．０５μｍ以下になっている。
使用者に対して水平方向の洗面ボール中心線を基準に、水栓金具２から着水する位置が使用者手前側にあり、排水口３が使用者から離れた側にある。
このようにすることで、洗面ボール内着水位置から吐水口に至るまでに、流水が洗面ボール内に行き渡り、洗面ボール底面に塗布した疑似汚物が流水のみで落ちるようになる。
【００１９】
【発明の効果】
本発明によれば、汚れを落としやすく、付着させにくい洗面設備及び洗面化粧台を提供することが可能となる。
【図面の簡単な説明】
【図１】  本発明の一実施態様における上面図である。
【図２】  本発明の他の実施態様における上面図である。
【図３】  本発明の他の実施態様における上面図である。
【図４】  本発明の他の実施態様における上面図である。
【図５】  本発明の他の実施態様における右断面摸式図である。
【符号の説明】
１…洗面器、２…水栓金具、３…排水口、４…ボール面
【図１】
0004604294.tif 000002
【図２】
0004604294.tif 000003
【図３】
0004604294.tif 000004
【図４】
0004604294.tif 000005
【図５】
0004604294.tif 000006